(57)【要約】      （修正有）【課題】防水部材を上下二組の直立絡縫い板の折れ線の内側に形成された三角形状の空隙に隠蔽し、壁面全体の外観の一貫性を確保する、折れ線型直立絡縫い壁面用防水システムを提供する。【解決手段】上下に重ね合わせた二組の直立絡縫い板１、２は一定の角度を有し、上下の直立絡縫い板の折れ線の内側に三角形状の空隙を形成する折れ線型直立絡縫い壁面用防水システムにおいて、上直立絡縫い板の直下に設置され下直立絡縫い板の両側の絡縫い間の溝内に取り付けられ、上縁と下直立絡縫い板の絡縫いとが合致している封止ブロック３と、上下の直立絡縫い板の折れ線に形成された空隙に設けられ、板材を折り曲げて形成され、一面が上直立絡縫い板の下面に密着され、他面が封止ブロックの上面に密着する防水板４を含む折れ線型直立絡縫い壁面用防水システム。【選択図】図１
0003234554.tif 000002
【実用新案登録請求の範囲】
【請求項１】
上下に重ね合わせられた上直立絡縫い板（１）と下直立絡縫い板（２）を含み、上直立絡縫い板（１）と下直立絡縫い板（２）とは一定の角度を有し、上直立絡縫い板（１）と下直立絡縫い板（２）との折れ線の内側に三角形状の空隙を形成する折れ線型直立絡縫い壁面用防水システムにおいて、
上直立絡縫い板（１）の直下に設置され且つ下直立絡縫い板（２）の両側の絡縫い間の溝内に取り付けられ、溝全体を充填し、上縁と下直立絡縫い板（２）の絡縫いとが合致している封止ブロック（３）と、
上直立絡縫い板（１）と下直立絡縫い板（２）の折れ線に形成された空隙に設けられ、板材を折り曲げて形成され、一面が上直立絡縫い板（１）の下面に密着固定され、他面が封止ブロック（３）の上面に密着する防水板（４）と、をさらに含むことを特徴とする折れ線型直立絡縫い壁面用防水システム。
【請求項２】
前記封止ブロック（３）は下直立絡縫い板（２）に垂直であり、下直立絡縫い板（２）の溝内に設置され、封止ブロック（３）の縁は下直立絡縫い板（２）の上面及び絡縫いに密着することを特徴とする請求項１に記載の折れ線型直立絡縫い壁面用防水システム。
【請求項３】
前記封止ブロック（３）は防水発泡板であり、
前記封止ブロック（３）の外側には、封止ブロック（３）の下直立絡縫い板（２）に貼り付けられていない前後面及び上面外に外装され、前記封止ブロック（３）を半分覆うハウジング（５）が設けられ、
前記防水板（４）は前記ハウジング（５）に接続されることを特徴とする請求項２に記載の折れ線型直立絡縫い壁面用防水システム。
【請求項４】
前記ハウジング（５）の上縁の長さは前記封止ブロック（３）の前後両面の厚さよりも長く、ハウジング（５）の上縁は外方に延伸し且つ引張リベットによって下直立絡縫い板（２）の絡縫いに固定されることを特徴とする請求項３に記載の折れ線型直立絡縫い壁面用防水システム。
【請求項５】
前記ハウジング（５）は鋼板を折り曲げて形成されることを特徴とする請求項４に記載の折れ線型直立絡縫い壁面用防水システム。
【請求項６】
前記ハウジング（５）と下直立絡縫い板（２）との継ぎ目に防水封止ジェルが塗布されることを特徴とする請求項３に記載の折れ線型直立絡縫い壁面用防水システム。
【請求項７】
前記防水板（４）は同一の金属板を折り曲げて形成されることを特徴とする請求項１に記載の折れ線型直立絡縫い壁面用防水システム。
【請求項８】
前記金属板は三つの面に折り畳まれ、上下二つの面はそれぞれ上直立絡縫い板（１）及び封止ブロック（３）に接続され、側面は上下両面に接続され、
三つの面は一つの開口付きの三角形を形成し、防水板（４）の開口は上下の直立絡縫い板（２）の折れ線の外側に向いていることを特徴とする請求項７に記載の折れ線型直立絡縫い壁面用防水システム。
【請求項９】
前記下直立絡縫い板（２）は封止ブロック（３）と一対一で対応することを特徴とする請求項１に記載の折れ線型直立絡縫い壁面用防水システム。
【請求項１０】
前記防水板（４）は複数の上直立絡縫い及び複数の封止ブロック（３）に同時に接続されることを特徴とする請求項１に記載の折れ線型直立絡縫い壁面用防水システム。
【考案の詳細な説明】
【技術分野】
【０００１】
本考案は、建築物の壁面施工の技術分野に関し、特に折れ線型直立絡縫い壁面用防水システムに関する。
【背景技術】
【０００２】
直立絡縫い壁面は大スパンの建築ドームに対する施工システムである。直立絡縫い壁面は直立絡縫い板のつなぎ合わせから成るものであり、優れた防水性能を有する。一般的には、直立絡縫い板は直線型の平板であるが、円弧面形状に形成されているものもある。直立絡縫い板の油塗りは、固定用のリブに用いられるため、円弧面形状の直立絡縫い壁面であっても、その曲率は比較的小さい。そのようなスタイリングの変化が比較的緩やかな壁面の円弧状の直立絡縫い板に対応するには十分であるが、現在の多くの建築物については、スタイリング上の要求から、往々にして曲率が大きい曲面又は折れ角が現れ、この場合、円弧状の直立絡縫い板をそのまま利用してつなぎ合わせて施工することができなくなる。一般的には、このような状況では、主な手段として、二つの直立絡縫い板を上下に重ね合わせて一定の角度を形成するが、この場合、二つの直立絡縫い板の折れ線に厳密な糸締めを行うことができず、直立絡縫い壁面の防水性が失われてしまう。このような状況に対処するために、折れ線の外面に一層の防水層を敷設することができるが、このような施工方法では、ドーム建築の壁面の外観の一貫性を損なうことになる。
【考案の概要】
【考案が解決しようとする課題】
【０００３】
本考案は折れ線型直立絡縫い壁面用防水システムに関する。
【０００４】
従来技術では、二組の直立絡縫い板の重ね合わせ折れ線に防水処理を行う時に外側に防水層を敷設する必要があり、これにより壁面の外観が一致しなくなる。
【０００５】
上記の技術的課題を解決するために、本考案の折れ線型直立絡縫い壁面用防水システムは、以下の技術案を採用する。
【課題を解決するための手段】
【０００６】
上下に重ね合わせられた上直立絡縫い板と下直立絡縫い板を含み、上直立絡縫い板と下直立絡縫い板とは一定の角度を有し、上直立絡縫い板と下直立絡縫い板との折れ線の内側に三角形状の空隙を形成する折れ線型直立絡縫い壁面用防水システムにおいて、
上直立絡縫い板の直下に設置され且つ下直立絡縫い板の両側の絡縫い間の溝内に取り付けられ、溝全体を充填し、上縁と下直立絡縫い板の絡縫いとが合致している封止ブロックと、
上下の直立絡縫い板の折れ線に形成された空隙に設けられ、板材を折り曲げて形成され、一面が上直立絡縫い板の下面に密着固定され、他面が封止ブロックの上面に密着する防水板と、をさらに含むことを特徴とする折れ線型直立絡縫い壁面用防水システム。
【０００７】
さらに、前記封止ブロックは下直立絡縫い板に垂直であり、下直立絡縫い板の溝内に設置され、封止ブロックの縁は下直立絡縫い板の上面及び絡縫いに密着する。
【０００８】
さらに、前記封止ブロックは防水発泡板であり、前記封止ブロックの外側には、封止ブロックの下直立絡縫い板に貼り付けられていない前後面及び上面外に外装され、前記封止ブロックを半分覆うハウジングが設けられ、前記防水板は前記ハウジングに接続される。
【０００９】
さらに、前記ハウジングの上縁の長さは前記封止ブロックの前後両面の厚さよりも長く、ハウジングの上縁は外方に延伸し且つ引張リベットによって下直立絡縫い板の絡縫いに固定される。
【００１０】
さらに、前記ハウジングは鋼板を折り曲げて形成される。
【００１１】
さらに、前記ハウジングと下直立絡縫い板との継ぎ目に防水封止ジェルが塗布される。
【００１２】
さらに、前記防水板は同一の金属板を折り曲げて形成される。
【００１３】
さらに、前記金属板は三つの面に折り畳まれ、上下二つの面はそれぞれ上直立絡縫い板及び封止ブロックに接続され、側面は上下両面に接続され、三つの面は一つの開口付きの三角形を形成し、防水板の開口は上下の直立絡縫い板の折れ線の外側に向いている。
【００１４】
さらに、前記下直立絡縫い板は封止ブロックと一対一で対応する。
【００１５】
さらに、前記防水板は複数の上直立絡縫い及び複数の封止ブロックに同時に接続される。
【００１６】
本考案の折れ線型直立絡縫い壁面用防水システムは従来技術に比べ、以下の有益な効果を有する。
本考案は、従来の直立絡縫い板の重ね合わせ箇所の外側に防水層を敷設する防水形態を変更している。重ね合わせの折れ線に形成された三角形の隙間から着手し、隙間に防水板を設置し、防水板は板材で折り曲げられて複数の面を形成し、続いて、そのうちの二つの面の一方を上直立絡縫い板の下面に密着させ、他方を上直立絡縫い板の上板面の表面に密着させれば、二組の防水板について厳密な防水構造を形成することができるが、直立絡縫い板が絡縫いを有するため、それにより一組の連続的な直立絡縫い板の上面が凹凸であり、高さが大きく変化し、防水板を直接直立絡縫い板の上面に貼り付けることが困難である。
【００１７】
従って、本考案では、さらに封止ブロックを設置し、封止ブロックを下直立絡縫い板の溝内に設置して下直立絡縫い板を充填し、このように防水板を介して封止ブロックの上面に直接貼り合わせて、上下二組の下直立絡縫い板により形成された折れ線の封止を完了することができる。そのため、防水板を設置しやすく、且つ封止効果を向上させるために、前記封止ブロックの上縁は下直立絡縫い板の絡縫いと合致している。
【００１８】
以上の技術案により二組の直立絡縫い板を一定の角度を持って重ね合わせて設置する時の防水対策を提供する。防水部材を上下二組の直立絡縫い板の折れ線の内側に形成された三角形状の空隙に隠蔽し、壁面全体の外観の一貫性を確保している。
【図面の簡単な説明】
【００１９】
【図１】本考案の折れ線型直立絡縫い壁面用防水システム全体の側面断面図である。
【図２】図１におけるA部拡大図である。
【図３】図２におけるA-A部断面図である。
【図４】封止ブロックとハウジングの斜視図である。
【図５】図４の側面図である。
【考案を実施するための形態】
【００２０】
以下、図面を参照して本考案の具体的な実施形態について詳細に説明する。理解すべきことは、ここに記載された具体的な実施形態は本考案の説明及び解釈に用いられ、本考案を規制するものではないことである。
【００２１】
本考案において、反対の説明がされていない場合、使用される方向用語、例えば「上、下、左、右」とは、通常、図３に示される上、下、左、右を参照することである；「内、外」とは、各部材自体の輪郭の内、外を意味する。以下、図面を参照し且つ実施形態と結び付けて本考案を詳細に説明する。
【００２２】
従来技術に存在している、角度付きの二組の直立絡縫い板の防水作業を行う時に、外側に防水層を敷設する必要があり、室内の外観の一貫性を損なうという問題を解決するために、図１〜５に示すような折れ線型直立絡縫い壁面用防水システムを提供する。
【００２３】
折れ線型直立絡縫い壁面用防水システムは、上下に重ね合わせられた上直立絡縫い板１と下直立絡縫い板２を含み、上直立絡縫い板１と下直立絡縫い板２とは一定の角度を有し、上直立絡縫い板１と下直立絡縫い板２との折れ線の内側に三角形状の空隙を形成する折れ線型直立絡縫い壁面用防水システムにおいて、上直立絡縫い板１の直下に設置され且つ下直立絡縫い板２の両側の絡縫い間の溝内に取り付けられ、溝全体を充填し、上縁と下直立絡縫い板２の絡縫いとが合致している封止ブロック３と、上下の直立絡縫い板２の折れ線に形成された空隙に設けられ、板材を折り曲げて形成され、一面が上直立絡縫い板１の下面に密着固定され、他面が封止ブロック３の上面に密着する防水板４と、をさらに含む。
【００２４】
本考案は、従来の直立絡縫い板の重ね合わせ箇所の外側に防水層を敷設する防水形態を変更している。重ね合わせの折れ線に形成された三角形の隙間から着手し、隙間に防水板４を設置し、防水板４は板材で折り曲げられて複数の面を形成し、続いて、そのうちの二つの面の一方を上直立絡縫い板１の下面に密着させ、他方を上直立絡縫い板の上板面の表面に密着させれば、二組の防水板４について厳密な防水構造を形成することができるが、直立絡縫い板が絡縫いを有するため、それにより一組の連続的な直立絡縫い板の上面が凹凸であり、高さが大きく変化し、防水板４を直接直立絡縫い板の上面に貼り付けることは困難である。
【００２５】
従って、本考案では、さらに封止ブロック３を設置し、封止ブロック３を下直立絡縫い板２の溝内に設置して下直立絡縫い板２を充填し、このように防水板４を介して封止ブロック３の上面に直接貼り合わせて、上下二組の下直立絡縫い板により形成された折れ線の封止を完了することができる。そのため、防水板４を設置しやすく、且つ封止効果を向上させるために、前記封止ブロック３の上縁は下直立絡縫い板２の絡縫いと合致している。
【００２６】
上記技術案により二組の直立絡縫い板に一定の角度を持って重ね合わせて設置する時の防水対策を提示している。防水部材を上下二組の直立絡縫い板の折れ線の内側に形成された三角形状の空隙に隠蔽し、壁面全体の外観の一貫性を確保している。
具体的には、防水板４は鋼板を折り曲げて形成され、同一の防水板４は上下の直立絡縫い板２全体の折れ線を貫通するとともに、複数の上直立絡縫い板１に接続される。好ましくは、防水板４はブリキ等の比較的良好な耐腐食性を有する材料で製造され、プラスチック又はアルミニウム材で製造され、防水板４はプラスチックで一体成形される。
【００２７】
封止ブロック３は防水材料で製造され、好ましくは金属発泡面複合板であり、比較的良好な防水性能を有するとともに、耐腐食性を有し、一定の強度を有し、発泡割れを防止する。折れ線における各下直立絡縫い板２には、何れも封止ブロック３が設けられている。防水板４が折り線全体を貫通している全ての直立絡縫い板とは異なり、下直立絡縫い板２と封止ブロック３とは一対一で対応している。
【００２８】
図３に示すように、前記封止ブロック３は下直立絡縫い板２に垂直であり、下直立絡縫い板２の溝内に設置され、封止ブロック３の縁は下直立絡縫い板２の上面及び絡縫いに密着されて設置される。封止ブロック３は水漏れを回避するために、下直立絡縫い板２全体の溝を充填している。
【００２９】
前記封止ブロック３は防水発泡板である。防水発泡板の割れを回避するために、防水発泡板の外にさらにハウジング５が設けられる。図４及び図５に示すように、前記封止ブロック３の外側には、封止ブロック３の下直立絡縫い板２に貼り付けられていない前後面及び上面外に外装され、前記封止ブロック３を半分覆うハウジング５が設けられる。ハウジング５の設置が完了した後、前記防水板４と前記ハウジング５とは引張リベットによって接続される。
【００３０】
図４及び図５に示すように、封止ブロック３を下直立絡縫い板２の溝内に固定するために、封止ブロック３の材料が脆弱であるため、ハウジング５によって固定を行う。前記ハウジング５の上縁の長さは前記封止ブロック３の前後両面の厚さよりも長く、ハウジング５の上縁は外方に延伸し且つ引張リベットによって下直立絡縫い板２の絡縫いに固定される。好ましくは、前記ハウジング５は鋼板を折り曲げて形成されている。
【００３１】
防水効果を向上させるために、前記ハウジング５と下直立絡縫い板２との継ぎ目に防水封止ジェルが塗布されている。
【００３２】
図２に示すように、前記防水板４は、同一の金属板を折り曲げて形成されている。前記金属板は三つの面に折り畳まれ、上下二つの面はそれぞれ上直立絡縫い板１及び封止ブロック３に接続され、側面は上下両面に接続され、三つの面は一つの開口付きの三角形を形成し、防水板４の開口は上下の直立絡縫い板２の折れ線の外側に向いている。このように、上下の直立絡縫い板２の隙間の内側に隠蔽することができ、できるだけ外部から防水板４を視認できないようにする。
以上に述べた実施例は本考案の好ましい実施形態について説明したものであり、本考案の範囲を限定するものではなく、本考案の要旨を逸脱しない限り、本考案の技術案に対して当業者によってなされた種々の変形及び改良は、古民家の工事に本考案を用いることも含めて、何れも本考案の権利請求の範囲で確定される保護範囲に含まれる。
【符号の説明】
【００３３】
１  上直立絡縫い板
２  下直立絡縫い板
３  封止ブロック
４  防水板
５  ハウジング
【図１】
0003234554.tif 000003
【図２】
0003234554.tif 000004
【図３】
0003234554.tif 000005
【図４】
0003234554.tif 000006
【図５】
0003234554.tif 000007